(57)【要約】【課題】載置したときの載置安定性に優れ、せり出した構造が破損して充填されている粉体が漏れ出すことを抑制できるフレキシブルコンテナバッグを提供する。【解決手段】  フレキシブルコンテナバッグ１は、粉体が排出可能な排出口１２ａを備える外袋１０と、粉体を充填するように外袋の内方に設けられ、粉体が排出される際に切断されて開口する被切断領域２２ａを備える内袋２０と、内袋に粉体が充填された際に、内袋が外袋の排出口から飛び出すことを抑制する抑制部材３０と、を有する。【選択図】図４
0003221632.tif 000002
【実用新案登録請求の範囲】
【請求項１】
粉体が排出可能な排出口を備える外袋と、
前記粉体を充填するように前記外袋の内方に設けられ、前記粉体が排出される際に切断されて開口する被切断領域を備える内袋と、
前記内袋および前記外袋の間であって、前記内袋の下方に配置され、前記内袋に前記粉体が充填された際に、前記内袋が前記外袋の前記排出口から飛び出すことを抑制する抑制部材と、を有する、フレキシブルコンテナバッグ。
【請求項２】
前記外袋の下方に前記排出口を覆うように配置可能であって、前記外袋の下面に固定可能な固定部材をさらに有する、請求項１に記載のフレキシブルコンテナバッグ。
【考案の詳細な説明】
【技術分野】
【０００１】
本考案は、粉体を充填するフレキシブルコンテナバッグに関する。
【背景技術】
【０００２】
従来から、粉体を充填するためのフレキシブルコンテナバッグが種々開発されている。このようなフレキシブルコンテナバッグでは、充填された粉体を容易に排出することが求められている。
【０００３】
これに関連して、下記の特許文献１には、菊坐構造になる底面部外部外装部と、排出口が設けられた底面内部外装部の二重構造をした底面部を備え、排出時に自重ないしは充填物の自重により排出口が外にせり出し、粉体の排出を容易にするフレキシブルコンテナバッグが開示されている。
【先行技術文献】
【特許文献】
【０００４】
【特許文献１】特開２００４−２８４６３４号公報
【考案の概要】
【考案が解決しようとする課題】
【０００５】
しかしながら、上述のフレキシブルコンテナバッグでは、底面部外部外装部の排出口結束用ひもを解くと、排出口が外にせり出す構造となっているために、排出口結束用ひもを解いた後にフレキシブルコンテナバッグを所定の位置に載置する際に、せり出した構造に起因して傾斜し載置安定性が低い、またはせり出した構造が破損して充填されている粉体が漏れ出す可能性がある。
【０００６】
本考案は、上記課題を解決するために考案されたものであり、フレキシブルコンテナバッグを載置したときの載置安定性に優れ、せり出した構造が破損して充填されている粉体が漏れ出すことを抑制できるフレキシブルコンテナバッグを提供することを目的とする。
【課題を解決するための手段】
【０００７】
上記目的を達成する本考案に係るフレキシブルコンテナバッグは、粉体が排出可能な排出口を備える外袋と、前記粉体を充填するように前記外袋の内方に設けられ、前記粉体が排出される際に切断されて開口する被切断領域を備える内袋と、前記内袋および前記外袋の間であって、前記内袋の下方に配置され、前記内袋に前記粉体が充填された際に、前記内袋が前記外袋の前記排出口から飛び出すことを抑制する抑制部材と、を有する。
【考案の効果】
【０００８】
上述のフレキシブルコンテナバッグによれば、内袋が外袋の内方に設けられるため、フレキシブルコンテナバッグを載置したときの載置安定性に優れる。また、内袋が外袋の排出口から飛び出すことを抑制する抑制部材を備えているため、せり出した構造が破損して充填されている粉体が漏れ出すことを抑制できる。
【図面の簡単な説明】
【０００９】
【図１】本実施形態に係るフレキシブルコンテナバッグを示す概略斜視図である。
【図２】本実施形態に係るフレキシブルコンテナバッグを示す概略正面図である。
【図３】本実施形態に係るフレキシブルコンテナバッグを示す概略下面図である。
【図４】図２の４−４線に沿う断面図である。
【図５】変形例１に係るフレキシブルコンテナバッグを示す図４に対応する図である。
【図６】変形例２に係るフレキシブルコンテナバッグを示す図４に対応する図である。
【考案を実施するための形態】
【００１０】
本考案の実施形態を、図１〜図４を参照しつつ説明する。なお、図面の説明において同一の要素には同一の符号を付し、重複する説明を省略する。図面の寸法比率は、説明の都合上誇張されており、実際の比率とは異なる場合がある。
【００１１】
図１は、本実施形態に係るフレキシブルコンテナバッグ１を示す概略斜視図である。図２は、本実施形態に係るフレキシブルコンテナバッグ１を示す概略正面図である。図３は、本実施形態に係るフレキシブルコンテナバッグ１を示す概略下面図である。図４は、図２の４−４線に沿う断面図である。
【００１２】
フレキシブルコンテナバッグ１の内部には、粉体が充填される。また、フレキシブルコンテナバッグ１は、所定の位置に移動された後、下部が解放されて、内部に充填された粉体が所定の容器に排出される。フレキシブルコンテナバッグ１に充填される粉体としては特に限定されないが、例えば、樹脂ペレット、化成品、無機物、鉱物、穀物、飼料、粉末調味料などを挙げることができる。
【００１３】
次に、フレキシブルコンテナバッグ１の構成について説明する。フレキシブルコンテナバッグ１は、図１〜図４に示すように、外袋１０と、外袋１０の内方に設けられる内袋２０と、外袋１０および内袋２０の間に設けられる抑制部材３０と、外袋１０の下方に、上下方向に延在して設けられる底部４０と、を有する。粉体は、内袋２０の内部に充填される。以下、各構成について詳述する。
【００１４】
＜外袋１０＞
外袋１０は、図１〜図３に示すように、粉体が充填される充填口１１Ｈを備える上部１１と、粉体が排出可能な排出口１２ａを備える底面部１２と、上部１１および底面部１２の間に設けられる側部１３と、を有する。
【００１５】
上部１１は、図１に示すように、略平面状に形成される上面部１１ａと、上面部１１ａから上方に延在する延在部１１ｂと、を有する。上面部１１ａは、上方から視て、四角形状を備える。なお、上面部の上方から視た形状は、四角形状に限定されず、円形状等であってもよい。延在部１１ｂの上端に充填口１１Ｈが形成される。上面部１１ａおよび延在部１１ｂは、図４に示すように、別体に構成されている。
【００１６】
上面部１１ａおよび延在部１１ｂは、図４に示すように、互いに重ね合わされて（図４の矢印Ａ参照）、重ね合わされた箇所は縫合されて接続されている。
【００１７】
底面部１２は、図２に示すように、略平面形状を備える。底面部１２は、上面部１１ａと同様に、上方から視て、四角形状を備える。なお、底面部１２の上方から視た形状は、四角形状に限定されず、円形状等であってもよい。底面部１２には、図３に示すように、略円形状の排出口１２ａが設けられる。粉体は、排出口１２ａを介して、外部に排出可能となっている。排出口１２ａは、図４に示すように、底面部１２に対して、下方に突出しない、またはほぼ突出しないように構成されている。
【００１８】
側部１３は、上面部１１ａおよび底面部１２と、連続的かつ一体的に構成されている。側部１３には、図１に示すように、ベルト１４が縫合されている。ベルト１４は、粉体がフレキシブルコンテナバッグ１から排出される際に、フック（不図示）に取り付けられる。
【００１９】
外袋１０を構成する材料としては特に限定されないが、従来公知のクロスコンテナなどに使用されている各種素材を用いることができる。例えば、ポリエチレンやポリプロピレンなどのポリオレフィン樹脂を原料とする厚さ３０〜１４０μｍのフラットヤーンを縦糸及び横糸として織機で織ることで得られたヤーン生地などは好適に使用できる。このヤーン生地には、必要に応じてその表裏いずれかの片面又は両面にポリオレフィン（ＰＥ、ＰＰなど）などの合成樹脂やゴムなどのラミネート加工を施すことができる。
【００２０】
＜内袋２０＞
内袋２０は、図１に示すように、外袋１０の内方に配置されている。内袋２０は、外袋１０に固定されている。内袋２０の外袋１０に対する固定方法は、特に限定されないが、例えば縫合によって固定される。また、内袋２０を外袋１０に対して固定する位置は、特に限定されないが、例えば、図４における断面視で四隅の箇所において紙面の直交方向に線状に固定することができる。
【００２１】
内袋２０は、図１〜図４に示すように、粉体が充填される充填口２１Ｈを備える上部２１と、粉体が排出される際に切断されて開口する被切断領域２２ａを備える底面部２２と、上部２１および底面部２２の間に設けられる側部２３と、を有する。
【００２２】
上部２１は、図４に示すように、略平面上に形成される上面部２１ａと、上面部２１ａから上方に延在する延在部２１ｂと、を有する。上面部２１ａは、上方から視て、四角形状を備える。延在部２１ｂの上端に充填口２１Ｈが形成される。上面部２１ａおよび延在部２１ｂは、図４に示すように、一体的に構成されている。
【００２３】
底面部２２は、図４に示すように、略平面形状を備える。底面部２２は、上面部２１ａと同様に、上方から視て、四角形状を備える。底面部２２には、図４に示すように、粉体が排出される際に切断されて開口する被切断領域２２ａを備える。粉体は、被切断領域２２ａが開口した際に、外部に排出可能となっている。
【００２４】
上部２１、底面部２２、および側部２３は、連続的かつ一体的に構成されている。なお、内袋２０の形状は、外袋１０の対応する部位の形状に合わせて、適宜選択できる。
【００２５】
内袋２０を構成する材料としては特に限定されないが、防湿性を保有する材質であることが好ましい。このような材質としては、ポリエチレンやＰＰ、ＰＥＴ、ＰＶＣ、アルミラミネート材やアルミ蒸着材であり、特にアルミラミネート材またはアルミ蒸着材であることは、湿気の混入を防ぎかつ静電気が起こり難いので好ましい形態である。また当該粉体を内袋２０に充填し終わった時には、外界からの湿気の混入を防ぐために、内袋２０はヒートシールされる事が好ましい。よってヒートシール可能な材質であることが好ましい。
【００２６】
また必要に応じ、当該粉体を充填する時に発生する静電気をアースに逃がすことのできる部材が具備されていることは好ましい。例えば充填時に、その部材を介して発生する静電気を逃がすことで静電気爆発を防ぐことができる。
【００２７】
また、内袋２０の内側（充填物と接触する内面側）がポリエチレンやＰＰ等の熱可塑性フィルム層で、その外側にアルミ材質の層やアルミ蒸着層がある二重構造以上の多層アルミラミネート材または多層アルミ蒸着材であることは好ましい形態である。上記の多層アルミラミネート材または多層アルミ蒸着材の内面側層がポリエチレンやＰＰ等の熱可塑性フィルム層であるとヒートシールが容易となるので好ましい形態である。また、上記内袋２０の厚みとしては、１００μｍから１０００μｍの範囲の厚さが好ましい。内袋２０の厚みが１００μｍ未満の場合、物理的強度が低く、粉体の充填時や輸送時に破損しやすい。また、内袋２０の厚みが１０００μｍを越えた場合、物理的強度には優れるが、内袋２０としての柔軟性が低下するため、取り扱い性が低下する。
【００２８】
＜抑制部材３０＞
抑制部材３０は、内袋２０に粉体が充填された際に、内袋２０が外袋１０の排出口１２ａから飛び出すことを抑制する。抑制部材３０は、シート状に構成されている。
【００２９】
抑制部材３０は、図１〜図４に示すように、内袋２０および外袋１０の間であって、内袋２０の下方に配置される。抑制部材３０の外周縁が外袋１０の内周縁に縫合されることによって、抑制部材３０は、外袋１０に固定されている。
【００３０】
抑制部材３０を構成する材料は、被切断領域２２ａを開口する際に併せて開口することのできるものであれば、特に限定されないが、例えばポリエチレンを用いることができる。また、抑制部材３０を構成する材料として、切断時における異物の混入という観点から、不織布は好ましくないが、樹脂が含侵された不織布であれば、切断時において異物の混入が生じないため、用いることができる。
【００３１】
抑制部材３０の厚みは特に限定されないが、抑制部材３０がポリエチレンシートであるときは、１０μｍ〜５ｍｍであることが好ましい。抑制部材３０の厚みが１０μｍ未満の場合、物理的強度が低く、抑制部材３０としての飛び出しを抑制する機能が低い。また、抑制部材３０の厚みが５ｍｍを越えた場合、物理的強度には優れるが、抑制部材３０の開口が困難となる。
【００３２】
＜底部４０＞
底部４０は、図１、図２、図４に示すように、外袋１０の底面部１２の下方に設けられる。底部４０は、中空形状を備えている。
【００３３】
底部４０および外袋１０の底面部１２は、図４に示すように、互いに重ね合わされて、重ね合わされた箇所は縫合されて接続されている。
【００３４】
底部４０の中空部４１は、図４に示すように、外袋１０の底面部１２に設けられている排出口１２ａおよび内袋２０の底面部２２に設けられている被切断領域２２ａと連通するように構成されている。
【００３５】
底部４０は、粉体がフレキシブルコンテナバッグ１の内部に充填されている状態において、結束用ひも（不図示）によって縛られており、粉体がフレキシブルコンテナバッグ１から排出される際に、結束用ひもは解かれる。
【００３６】
＜使用方法＞
次に、本実施形態に係るフレキシブルコンテナバッグ１の使用方法について説明する。フレキシブルコンテナバッグ１に粉体が充填された後、所定の締め具（不図示）等によって、外袋１０および内袋２０の上方が密閉される。そして、フレキシブルコンテナバッグ１は、所定の位置まで移動される。そして、ベルト１４をフックに引掛けて、フレキシブルコンテナバッグ１が吊り上げられる。
【００３７】
このとき、例えば、排出時に自重ないしは粉体の自重により排出口が外にせり出す構造のフレキシブルコンテナバッグを、結束用ひもを解いた後に載置する場合は、せり出した構造に起因して傾斜し載置安定性が低い。またせり出した構造が破損して充填されている粉体が漏れ出す可能性がある。
【００３８】
これに対して、本実施形態に係るフレキシブルコンテナバッグ１によれば、内袋２０が外袋１０の内方に設けられているため、フレキシブルコンテナバッグ１を載置したときの載置安定性に優れる。また、内袋２０が外袋１０の排出口１２ａから飛び出すことを抑制する抑制部材３０を備えているため、せり出した構造が破損して充填されている粉体が漏れ出すことを抑制できる。
【００３９】
そして、フレキシブルコンテナバッグ１が吊り上げられた状態で、内袋２０の被切断領域２２ａが切断されて開口することによって、粉体がフレキシブルコンテナバッグ１から排出されて、所定の容器に移動される。
【００４０】
以上説明したように、本実施形態におけるフレキシブルコンテナバッグ１は、粉体が排出可能な排出口１２ａを備える外袋１０と、粉体を充填するように外袋１０の内方に設けられ、粉体が排出される際に切断されて開口する被切断領域２２ａを備える内袋２０と、内袋２０および外袋１０の間であって、内袋２０の下方に配置され、内袋２０に粉体が充填された際に、内袋２０が外袋１０の排出口１２ａから飛び出すことを抑制する抑制部材３０と、を有する。このように構成されたフレキシブルコンテナバッグ１によれば、内袋２０が外袋１０の内方に設けられるため、フレキシブルコンテナバッグ１を載置したときの載置安定性に優れる。また、内袋２０が外袋１０の排出口１２ａから飛び出すことを抑制する抑制部材３０を備えているため、せり出した構造が破損して充填されている粉体が漏れ出すことを抑制できる。
【００４１】
＜変形例１＞
次に、図５を参照して、変形例１に係るフレキシブルコンテナバッグ２の構成について説明する。図５は、変形例１に係るフレキシブルコンテナバッグ２を示す図４に対応する図である。
【００４２】
変形例１に係るフレキシブルコンテナバッグ２は、図５に示すように、外袋１０と、内袋２０と、抑制部材３０と、を有する。すなわち、変形例１に係るフレキシブルコンテナバッグ２は、上述した実施形態に係るフレキシブルコンテナバッグ１と比較して、底部４０が設けられない点において異なる。
【００４３】
変形例１に係るフレキシブルコンテナバッグ２は、実施形態に係るフレキシブルコンテナバッグ１と比較して、底部４０が設けられないため、構造が簡略化し、載置安定性により優れる。また、底部４０が設けられないため、せり出した構造が破損して充填されている粉体が漏れ出すことをより好適に抑制できる。
【００４４】
＜変形例２＞
次に、図６を参照して、変形例２に係るフレキシブルコンテナバッグ３の構成について説明する。図６は、変形例２に係るフレキシブルコンテナバッグ３を示す図４に対応する図である。
【００４５】
変形例２に係るフレキシブルコンテナバッグ３は、図６に示すように、外袋１０と、内袋２０と、抑制部材３０と、固定部材１３２と、を有する。外袋１０、内袋２０、および抑制部材３０の構成は、上述した実施形態および変形例１と同一の構成であるため、説明は省略する。
【００４６】
固定部材１３２は、図６に示すように、外袋１０の下方に配置される。固定部材１３２は、上面において、外袋１０の下面に固定可能に構成される。固定部材１３２としては、例えば、一般的にマジックテープ（登録商標）などと呼ばれる面ファスナーを用いることができる。なお、固定部材としては、面ファスナーに限定されず、スナップボタンなどであってもよい。
【００４７】
固定部材１３２として面ファスナーを用いる場合は、固定部材１３２は矩形形状に構成され、面ファスナーの外周縁の１辺は、外袋１０の１辺に対して縫合される。そして、面ファスナーが外袋１０に対して固定される。このように構成されたフレキシブルコンテナバッグ２によれば、より好適に内袋２０が外袋１０の排出口１２ａから飛び出すことを抑制することができるため、より好適に載置安定性を向上させることができる。
【００４８】
変形例２に係るフレキシブルコンテナバッグ３では、内部に充填された粉体を外部に排出する際は、予め手動または自動で、面ファスナーを外袋１０から外した後に、内袋２０の被切断領域２２ａが切断されて開口する。
【００４９】
なお、本考案は上述した実施形態に限定されるものではなく、実用新案登録請求の範囲内で種々改変することができる。
【００５０】
例えば、上述した実施形態では、上面部１１ａおよび延在部１１ｂは別体として構成されていたが、一体的に構成されていてもよい。
【００５１】
また、上述した実施形態では、底面部１２に形成される排出口１２ａは、略円形状であったが、これに限定されず、楕円形状や矩形形状であってもよい。
【符号の説明】
【００５２】
１、２    フレキシブルコンテナバッグ、
１０    外袋、
１２ａ  排出口、
２０    内袋、
２２ａ  被切断領域、
３０  抑制部材、
１３２  固定部材。
【図１】
0003221632.tif 000003
【図２】
0003221632.tif 000004
【図３】
0003221632.tif 000005
【図４】
0003221632.tif 000006
【図５】
0003221632.tif 000007
【図６】
0003221632.tif 000008